(57)【特許請求の範囲】
【請求項１】
容器本体の上端内面に固定するバルブ機構に於いて、ハウジング内に、エアゾール内容物の流入口方向に押圧発条の付勢力で付勢したピストンを挿入して、ハウジング内をエアゾール内容物の流入側と流出側に区画し、この流入側から流出側へのエアゾール内容物の調整導入孔をピストンに形成し、このピストンの流出側に突出形成するとともに調整導入孔を下端に配置した円筒状の調整挿入部を、流出側に配置したステム本体のシリンダーに臨ませて配置し、このシリンダー内の軸方向に挿入杆を突出形成し、この挿入杆の外周とシリンダーの内周間に、ピストンの調整挿入部を摺動自在に挿入する挿入間隔を形成し、この挿入間隔への調整挿入部の挿入時に、調整挿入部の内周と挿入杆の外周及び調整挿入部の外周とシリンダーの内周との間に、エアゾール内容物を流通する内周流通路と外周流通路とを形成し、この内周流通路は、挿入杆を調整挿入部内に密接して挿入するとともに挿入杆の外面軸方向及び／または調整挿入部の内面軸方向に、凹溝を設ける事により形成し、また前記の外周流通路は、調整挿入部をシリンダー内に密接して挿入するとともに調整挿入部の外面軸方向及び／またはシリンダーの内面軸方向に、凹溝を設ける事により形成して、この内周流通路と外周流通路とを連通し、また、ステム本体は、ハウジング内に挿入した装着部の外周面を、ハウジングの内周面に摺動自在に接触し、この接触部分の外周軸方向に、ステム本体のオリフィスと連通可能な凹溝を設ける事により、ハウジング内周とステム本体外周との間隔に、エアゾール内容物の流通路を形成し、オリフィスを介して外部にエアゾール内容物を噴出可能とした事を特徴とするエアゾール容器用の流量調整装置。
【発明の詳細な説明】
【０００１】
【産業上の利用分野】
本案発明は、噴射剤に炭酸ガス等の圧縮ガスを用いたエアゾール製品の如く、エアゾール内容物の噴射に伴って、エアゾール容器内部の噴射圧力が低下し易いエアゾール製品に用いる場合に好適な、エアゾール容器用の流量調整装置に係るものである。
【０００２】
【従来の技術】
従来、エアゾール製品には噴射剤として、液化ガスを用いたものと、炭酸ガス等の圧縮ガスを用いたものが存在する。噴射剤に液化ガスを用いたものは、液化ガスの気化する膨張比率が高いため、エアゾール内容物の噴射が、相当程度継続した場合に於ても、エアゾール容器内の圧力は均一に保たれ、圧力降下を生じる事は少ない。
【０００３】
一方、噴射剤に炭酸ガス等の圧縮ガスを用いた場合は、エアゾール容器の使用開始初期に於ては、強い圧力でエアゾール内容物の噴射を行う事ができる。しかしながら、エアゾール内容物の噴射によって、エアゾール容器内では、気体が存在可能なヘッドスペースが大きくなるため、圧縮ガスがこの広いヘッドスペース内に拡散し、エアゾール容器内の圧力は減少するものとなる。すると、このエアゾール容器内の圧力の減少に比例して、エアゾール内容物の単位時間当たりの噴射量も減少するものとなり、使用の初期と使用継続後における、エアゾール内容物の単位時間当たりの噴出量に大きな変化が生じ、使用上好ましくないものとなる。
【０００４】
そこで、このような欠点を除去する目的で提案されたものに、特開平８−５８８５９号公報記載の発明が存在する。この発明は、エアゾール容器のバルブ機構の下端または、バルブ機構に接続したディップチューブの下端に、これらとは別体に形成したエアゾール内容物の流量を調整可能な装置を設けたものである。
【０００５】
この従来の流量調整装置は、シリンダー内に、ピストンの調整挿入部を摺動自在に挿入し、この挿入時にシリンダーの内周面と調整挿入部の外周面との間に形成される流通間隔の流通抵抗により、エアゾール内容物の流量を調整するものである。そして、エアゾール内容物の噴出初期に於いて、エアゾール容器の圧力が高い場合は、この圧力でピストンが流出側に押圧されて摺動し、調整挿入部が深くピストンに挿入される。すると、流通間隔の流通抵抗は、ピストン内周面と調整挿入部外周面との対向面積が大きいほど増すため、この高圧力時の流通抵抗が大きく、エアゾール内容物の流量が抑制されるものとなる。
【０００６】
また、エアゾール内容物の噴出が進行し、ヘッドスペースが大きくなると、エアゾール容器内の圧力が低下して、ピストンに対する加圧力も低下するので、シリンダー内への調整挿入部の挿入量が減少する。この挿入量の減少により、流通間隔の流通抵抗も減少するため、エアゾール内容物は多く流通間隔を流通する事が可能となる。このように、エアゾール容器内の圧力に比例して、エアゾール内容物の流量が調整されるので、単位時間当たりのエアゾール内容物の噴出量を、噴出の初期から終期まで、常に一定に保つ事が可能であった。
【０００７】
【発明が解決しようとする課題】
しかしながら、上述の従来例では、流量の調整装置を、エアゾール容器のバルブ機構とは別個に形成しているので、製作の手間や材料が掛かり、コスト高となるものであった。更に、調整装置をディップチューブに取り付ける手間も必要であった。また、ディップチューブに取り付けた場合は、使用中にエアゾール容器を傾けたりすると、調整装置の重量でディップチューブが折れ曲がって破損する等の不具合を生じる事もあった。
【０００８】
また、他の異なる従来例として、特開平７−２４２２８０号公報記載の発明では、流量の調整装置を、バルブ機構のハウジングの内部に設けたものが存在する。これは、エアゾール容器の圧力により、ハウジングの流入側に配置したピストンが摺動し、流出側に配置した弾性体を圧縮して、この弾性体の気泡内を通過するエアゾール内容物の流量を制限する事により、流量の調整を行うものである。
【０００９】
このように、ハウジング内に調整装置を設ける事により、特開平８−５８８５９号と比較して、製作の手間やコストを減らす事が可能である。しかし、エアゾール内容物との接触により、弾性体が劣化して弾性変形力を失ったり、目詰まりを生じる等の不具合が発生し、流量の調整を良好に行う事ができなくなる可能性があった。
【００１０】
本発明は上述の如き、課題を解決しようとするものであって、高圧である噴射の初期と、圧力が低下する低圧な噴射の後期とに於て、エアゾール内容物の単位時間当たりの噴出量を常に一定とする事を可能とするものである。そして、この流量の調整が可能な機構をバルブ機構に設ける事により、エアゾール容器の構造を単純で製作が容易なものとし、廉価に形成しようとするものである。また、噴射量の調整を、確実に行うとともに、噴射に於て噴射量のムラを生じたり、脈動現象を生じたりする事がないようにするものである。
【００１１】
【課題を解決するための手段】
本発明は、上述の如き課題を解決するため、容器本体の上端内面に固定するバルブ機構に於いて、ハウジング内に、エアゾール内容物の流入口方向に押圧発条の付勢力で付勢したピストンを挿入して、ハウジング内をエアゾール内容物の流入側と流出側に区画し、この流入側から流出側へのエアゾール内容物の調整導入孔をピストンに形成し、このピストンの流出側に突出形成するとともに調整導入孔を下端に配置した円筒状の調整挿入部を、流出側に配置したステム本体のシリンダーに臨ませて配置し、このシリンダー内の軸方向に挿入杆を突出形成し、この挿入杆の外周とシリンダーの内周間に、ピストンの調整挿入部を摺動自在に挿入する挿入間隔を形成し、この挿入間隔への調整挿入部の挿入時に、調整挿入部の内周と挿入杆の外周及び調整挿入部の外周とシリンダーの内周との間に、エアゾール内容物を流通する内周流通路と外周流通路とを形成し、この内周流通路は、挿入杆を調整挿入部内に密接して挿入するとともに挿入杆の外面軸方向及び／または調整挿入部の内面軸方向に、凹溝を設ける事により形成し、また前記の外周流通路は、調整挿入部をシリンダー内に密接して挿入するとともに調整挿入部の外面軸方向及び／またはシリンダーの内面軸方向に、凹溝を設ける事により形成して、この内周流通路と外周流通路とを連通し、また、ステム本体は、ハウジング内に挿入した装着部の外周面を、ハウジングの内周面に摺動自在に接触し、この接触部分の外周軸方向に、ステム本体のオリフィスと連通可能な凹溝を設ける事により、ハウジング内周とステム本体外周との間隔に、エアゾール内容物の流通路を形成し、オリフィスを介して外部にエアゾール内容物を噴出可能とし
成るものである。
【００１２】
【作用】
本発明は、上述の如く構成したものであるから、エアゾール内容物を噴射しない状態では、調整導入孔から流入したエアゾール内容物によって、ピストンを介して流入側と流出側とは、圧力が平衡となる。そのため、ステム本体とピストンとの間に介在する押圧発条の付勢力により、ピストンはエアゾール内容物の流入側に押圧付勢されるとともに、ステム本体はハウジングの外部方向に押圧付勢されている。そして、エアゾール内容物の噴射を行うために、ステム本体を押し下げる事により、ハウジング内のエアゾール内容物が外部に噴射される。この噴射により、ハウジング内の圧力が低下し、容器本体内のエアゾール内容物が、ハウジング内に流入する。
【００１３】
すると、このエアゾール内容物に押圧されて、ピストンは押圧発条の押圧力に抗して、ハウジング内を流出側方向に摺動する。その際、エアゾール容器内の圧力が高い場合は、ピストンに加えられる圧力も高いものとなる。そのため、ピストンは押圧発条の復元力に抗して、調整挿入部をシリンダーと挿入杆とで構成する挿入間隔内に、深く挿入するものとなる。この挿入と同時に、エアゾール内容物は、ハウジングの流入側から、ピストンに設けた調整導入孔を介して、内周流通路及び外周流通路を通過し、流出側に流動する。そして、エアゾール内容物は、オリフィスを介して外部に噴射される。
【００１４】
この調整挿入部のシリンダー内への挿入により、内周流通路及び外周流通路を流通するエアゾール内容物は、流通抵抗を受ける。そして、流通抵抗は、内周流通路と外周流通路の流通距離が長い程、増大するものとなる。従って、この流通抵抗により、エアゾール内容物の流量が抑制されるものとなる。
【００１５】
そのため、噴出の初期に於いては、エアゾール容器の圧力が高くて、調整挿入部が深く挿入間隔内に挿入されるため、長い距離の内周流通路と外周流通路が形成され、この内周流通路と外周流通路とを流通するエアゾール内容物は、強い流通抵抗を受け、流量を大きく抑制されるものとなる。
【００１６】
また、エアゾール内容物の噴出が進行すると、エアゾール容器内のヘッドスペースが大きくなり、内部圧力が低下する。このエアゾール容器内の圧力の低下により、ピストンに対する加圧力も減少する。そのため、押圧発条の付勢力に抗してピストンが流出側に摺動する距離が少なくなり、挿入間隔への調整挿入部の挿入量が少ないものとなる。
【００１７】
その結果、内周流通路と外周流通路の距離が短くなり、エアゾール内容物に加えられる流通抵抗が減少するから、多くのエアゾール内容物が内周流通路及び外周流通路を流通し易いものとなる。従って、噴射剤の圧力が低下すれば、エアゾール内容物は多くの量を、内周流通路及び外周流通路を介して、ハウジングの流出側に導く事が可能となる。
【００１８】
このように、噴射の初期に於ては、距離の長い内周流通路及び外周流通路を流通するエアゾール内容物は、大きな流通抵抗を受けるものとなる。しかし、エアゾール内容物は高圧をもって、この内周流通路及び外周流通路を流通するから、噴射の後期に於て流通抵抗を少なくして、低圧で内周流通路及び外周流通路を流通するエアゾール内容物の流量と、単位時間当たりの流量は殆ど変わる事がないものとなる。
【００１９】
また、内周流通路と外周流通路は、調整挿入部の外周側と内周側に折り返した形状で互いに連通して形成しているので、ピストンやシリンダー、挿入杆等の容積を小さく形成しても、内周流通路と外周流通路とで、長い通路を形成する事ができる。そのため、この流量調整装置を設けたバルブ機構が嵩張らず、エアゾール容器の構造を簡易なものとする事ができる。
【００２０】
このように、バルブ機構のハウジング内に於いて、シリンダー内に、ピストンの調整挿入部を挿入する量を調整する事によって、エアゾール内容物の流量を調整するものであるから、従来例の特開平７−２４２２８０号の弾性体を使用した発明に比べ、エアゾール内容物が安定して流動し、外部に良好に噴射できるものとなる。更に、弾性体に比べて調節装置の耐久性も向上するものとなる。また、この調節機構をバルブ機構に設けたものであるから、従来例の特開平８−５８８５９号の発明と比較して、エアゾール容器は構造が簡易なものとなるし、部品点数や工作の手間を省くものとなる。
【００２１】
また、調整挿入部は、ステム本体のシリンダーの内周と挿入杆の内周との間隔に設けた挿入間隔を進退するものであるから、安定した摺動をする事が可能となる。そのため、調整挿入部の摺動に脈動等を生じる事がなく、常に単位時間当たりの流量を、安定して一定に保つ事が可能となるものである。
【００２２】
また、内周流通路は、挿入杆を調整挿入部内に密接して挿入するとともに、挿入杆の外面軸方向及び／または調整挿入部の内面軸方向に、凹溝を設ける事により形成したから、この凹溝によりエアゾール内容物の内周流通路の表面積が狭くなり、エアゾール容器の使用開始時の流通抑制に大きな効果を生じさせる事ができる。また、外周流通路も、調整挿入部をシリンダー内に密接して挿入するとともに、調整挿入部の外面軸方向及び／またはシリンダーの内面軸方向に、凹溝を設ける事により形成したから、外周流通路に於いても、上記の凹溝状の内周流通路と同様の技術効果を得る事ができる。
【００２３】
また、本発明に係るステム本体は、ハウジング内に挿入した装着部の外周面を、ハウジングの内周面に摺動自在に接触し、この接触部分の外周軸方向に、ステム本体のオリフィスと連通可能な凹溝を設ける事により、ハウジング内周とステム本体外周との間隔に、エアゾール内容物の流通路を形成し、オリフィスを介して外部にエアゾール内容物を噴出可能としている。
【００２４】
また、このエアゾール容器用の流量調整装置は、容量が２２０ｃｃ以下の小型エアゾール容器に用いても良いし、容量１０００ｃｃ以下の大型エアゾール容器い用いても良い。そして、この流量調節装置は、内容物として、頭髪用品、化粧品、消臭・制汗剤、その他の人体用品、殺虫剤、コーテング剤、クリーナー、その他の家庭用品、工業用品、自動車用品、食品等に用いる事ができる。
【００２５】
そして、頭髪用品として、ヘアースプレー、ヘアードレッサーコンディショナー、ヘアーシャンプー・リンス、酸性染毛剤、酸化型２剤タイプ永久染毛剤、カラースプレー・脱色剤、パーマ剤、育毛剤、ヘアーフォーム、ヘアートニック、寝癖直しスプレー、髪用フレグランス等に用いる事ができる。
【００２６】
また、化粧品として、シェービングクリーム、アフターシェーブローション、香水・オーデコロン、洗顔料、日焼け止め、ファンデーション、脱毛・脱色剤、浴用剤、歯磨き、パック剤等に用いる事ができる。
【００２７】
また、消臭・制汗剤としては、制汗剤、消臭剤、ボディシャンプー等に用いる事ができる。また、その他の人体用品としては、筋肉消炎剤、皮膚疾患剤、水虫薬、害虫忌避剤、清拭剤、口腔剤、傷薬、やけど治療剤等に用いる事ができる。
【００２８】
また、殺虫剤としては、空間殺虫剤、ゴキブリ殺虫剤、園芸用殺虫剤、殺ダニ剤、不快害虫剤等に用いる事ができる。また、コーテング剤としては、家庭用塗料、自動車用塗料等に用いる事ができる。
【００２９】
また、クリーナーとしては、家庭用ガラスクリーナー、絨毯クリーナー、浴用クリーナー、床・家具艶だしクリーナー、靴・皮革クリーナー、ワックス艶だし剤等に用いる事ができる。また、その他の家庭用品としては、室内消臭剤、トイレ用消臭剤、防水剤、洗濯糊、除草剤、衣類用防虫剤、防炎剤・消火具、除菌剤等に用いる事ができる。
【００３０】
また、工業用としては、潤滑防錆剤、離型剤等に用いる事ができる。また、自動車用としては、防曇剤、解氷剤、エンジンクリーナー等に用いる事ができる。その他、動物用品、趣味娯楽用品、食品、例えばコーヒー、ジュース等に用いる事ができる。
【００３１】
【実施例】
以下本発明の一実施例を図面に於て説明すれば、(１)はエアゾール容器のバルブ機構で、容量が２２０ｃｃ以下の比較的小型の容器本体(図示せず)の上端に固定可能な構造としている。そして、バルブ機構(１)のハウジング(２)内には、その内周を摺動可能にステム本体(３)の装着部(４)を挿入している。そして、ステム本体(３)の噴出路(５)を、ステムガスケット(６)を介して容器本体の上面から外部に突出している。
【００３２】
また、ステム本体(３)の装着部(４)は、外周面をハウジング(２)の内周面と接触し、この接触部分の外周軸方向に複数本の凹溝を設けている。この凹溝により、ハウジング(２)の内周と装着部(４)の外周との間に、エアゾール内容物の流通路(７)を形成している。この流通路(７)は、ステム本体(３)のオリフィス(８)と連通可能とし、ハウジング(２)内のエアゾール内容物を、この流通路(７)とオリフィス(８)を介して噴出路(５)に導入し、外部に噴射可能としている。
【００３３】
また、ハウジング(２)内には、エアゾール内容物の流入口(１０)方向に、ピストン(１１)を摺動可能に挿入している。そして、このピストン(１１)とステム本体(３)との間隔に、押圧発条(１２)を介在する事により、その付勢力でピストン(１１)を流入口(１０)方向に押圧付勢するとともに、ステム本体(３)をハウジング(２)の外部方向に押圧付勢している。そして、ピストン(１１)を介して、ハウジング(２)内をエアゾール内容物の流入側(１３)と流出側(１４)に区画している。
【００３４】
また、ピストン(１１)には、流入側(１３)から流出側(１４)へエアゾール内容物を流通させる調整導入孔(１５)を形成している。そして、ピストン(１１)は、流出側(１４)に、前記の調整導入孔(１５)を下端に配置した、円筒状の調整挿入部(１６)を突出形成し、この調整挿入部(１６)を、流出側(１４)に配置したステム本体(３)に設けたシリンダー(１７)に臨ませて配置している。一方、シリンダー(１７)内の軸方向には、円柱状の挿入杆(１８)を突出形成し、この挿入杆(１８)の外周とシリンダー(１７)の内周間に、ピストン(１１)の調整挿入部(１６)を摺動自在に挿入可能とする、挿入間隔(２０)を形成している。
【００３５】
そして、この挿入間隔(２０)への調整挿入部(１６)の挿入時は、図５に示す如く、挿入杆(１８)を調整挿入部(１６)内に密接して摺動可能に形成し、挿入杆(１８)の外面軸方向に凹溝を設ける事により、内周流通路(２１)を形成する。また、外周流通路(２２)も、調整挿入部(１６)をシリンダー(１７)内に密接して摺動可能に形成し、シリンダー(１７)の内面軸方向に、凹溝を設ける事により形成する。すると、調整挿入部(１６)の内周と挿入杆(１８)の外周、及び調整挿入部(１６)の外周とシリンダー(１７)の内周との間に、それぞれ筒状の間隔を形成可能な寸法で各部品を形成したものに比べ、内周流通路(２１)と外周流通路(２２)が狭くなり、エアゾール容器の使用開始時の流量の抑制に大きな効果を生じさせる事ができる。また、上記では、内周流通路(２１)用の凹溝を、挿入杆(１８)のみに設けているが、調整挿入部(１６)の内面軸方向に設けてもよいし、両方に設けても良い。また、外周流通路(２２)用の凹溝も、シリンダー(１７)のみに設けているが、調整挿入部(１６)の外面軸方向に設けてもよいし、両方に設けても良い。また、図３に示す如く、この挿入間隔(２０)内に調整挿入部(１６)を深く挿入しても、調整挿入部(１６)の先端が挿入間隔(２０)の底部に接触しないような寸法の取り合いでこれらを形成する事により、内周流通路(２１)と外周流通路(２２)とは常に連通可能としている。
【００３６】
また、ピストン(１１)に設けた調整導入孔(１５)は、0.3ｍｍ〜1.0ｍｍ程度の直径に形成し、ハウジング(２)下端に設けた流入口(１０)から流入するエアゾール内容物を、一定の制限をしながらハウジング(２)内に導入するように形成している。そして、この調整導入孔(１５)は、エアゾール内容物の流通量がオリフィス(８)からの噴射量よりも、多くなるような大きさで直径を形成すると、エアゾール内容物の噴射時に、流入側(１３)と流出側(１４)の圧力が平衡し、ピストン(１１)の流出側(１４)への移動が困難となってしまう。そのため、オリフィス(８)からの噴射量よりもエアゾール内容物の流通が少なくなるように、上記の如く、調整導入孔(１５)の直径を小さく形成する事により、流入側(１３)と流出側(１４)の圧力が噴射時に平衡する事がないものとなる。
【００３７】
そして、上述の如く構成した流量調整装置を備えたエアゾール容器の容器本体に、炭酸ガス等の噴射剤で加圧されたエアゾール内容物を充填する。そして、エアゾール内容物を噴射しない状態では、調整導入孔(１５)から流入したエアゾール内容物によって、ピストン(１１)を介して流入側(１３)と流出側(１４)とは、圧力が平衡であるため、図１に示す如く、押圧発条(１２)の付勢力で、ピストン(１１)はエアゾール内容物の流入口(１０)方向に押圧付勢されるとともに、ステム本体(３)はハウジング(２)の外部方向に押圧付勢されている。
【００３８】
そして、エアゾール内容物を噴射するには、ステム本体(３)を押し下げて、図２に示す如く、バルブ機構(１)のオリフィス(８)を開弁する。すると、ハウジング(２)内のエアゾール内容物が外部に噴射され、圧力が低くなるから、エアゾール内容物が、流入口(１０)からハウジング(２)の流入側(１３)に流入する。そして、この流入側(１３)に流入したエアゾール内容物の噴射剤の圧力により、ピストン(１１)は押圧発条(１２)の復元力に抗して、ハウジング(２)内を流出側(１４)方向に摺動する。この摺動により、ピストン(１１)の調整挿入部(１６)が、シリンダー(１７)と挿入杆(１８)とで構成する挿入間隔(２０)内に挿入される。
【００３９】
そして、使用開始の初期の、エアゾール容器内の圧力が高い場合に於ては、ピストン(１１)に加えられる噴射剤の圧力も高いものとなるから、エアゾール内容物の噴射時に、ピストン(１１)は押圧発条(１２)の復元力に抗して、図３に示す如く、調整挿入部(１６)を挿入間隔(２０)内に深く挿入する。また、この挿入と同時に、ピストン(１１)に設けた調整導入孔(１５)から、エアゾール内容物が内周流通路(２１)内に流入し、この内周流通路(２１)と外周流通路(２２)とを、流通抵抗を受けながら通過して、エアゾール内容物は流出側(１４)に流出しようとする。
【００４０】
このエアゾール内容物が受ける流通抵抗は、内周流通路(２１)と外周流通路(２２)の距離の長短に比例して増減するものである。そして、上述の如く調整挿入部(１６)が、深く挿入間隔(２０)内に挿入されると、内周流通路(２１)と外周流通路(２２)が長く形成され、流通抵抗が増大する。そのため、エアゾール内容物は、この強い流通抵抗を受けながら内周流通路(２１)と外周流通路(２２)を流通し、その流量を制限されながら、高い圧力で流出側(１４)に流出するものとなる。
【００４１】
そして、流出側(１４)に流出したエアゾール内容物は、装着部(４)の外周に設けた流通路(７)を通過し、オリフィス(８)を介してステム本体(３)の噴出路(５)に流入する。その後、この噴出路(５)からエアゾール内容物は外部に噴射される。
【００４２】
また、エアゾール内容物の噴射により、容器本体内のヘッドスペースが大きくなると、内部気圧が低下するため、流入側(１３)からピストン(１１)に加えられる圧力も低下する。この圧力低下に伴い、押圧発条(１２)の復元力でピストン(１１)は流入側(１３)に押し戻されるから、図４に示す如く、調整挿入部(１６)の挿入間隔(２０)への挿入量も少ないものとなる。
【００４３】
すると、内周流通路(２１)と外周流通路(２２)との距離が短くなるから、この内周流通路(２１)と外周流通路(２２)とを流通するエアゾール内容物の受ける流通抵抗は、小さなものとなり、エアゾール内容物の流量を増やす事が可能となる。そして、この流量の増加は、噴射剤の圧力が低下した状態で行われるから、前述の高圧状態で流量を抑制される噴射と比較し、単位時間当たりの流量を、等しいものとする事が可能となる。
【００４４】
このように、エアゾール内容物の噴射経過に伴って低下する噴射圧力に対応して、挿入間隔(２０)への調整挿入部(１６)の挿入量を少なくする事により、常に等しい単位時間当たりの噴射量を、確保する事が可能となる。また、調整挿入部(１６)の内面側に内周流通路(２１)を、調整挿入部(１６)の外面側に外周流通路(２２)を設けて互いに連通している事により、小さな容積でエアゾール内容物の流通距離を長く設ける事ができる。そのため、流動抵抗を大きく取る事が可能となり、流量の調整を効果的かつ確実に行う事が可能となるとともに、バルブ機構(１)を小さく簡易な構造で形成する事ができる。
【００４５】
また、図６に示す実施例では、ハウジング(２)の流出側(１４)の側面に、ベーパータップ(２７)を設けたバルブ機構(１)に、流量調整装置を設けている。すると、エアゾール内容物の噴射時に、ハウジング(２)の流出側(１４)には、調整導入孔(１５)を介してエアゾール内容物が流入するとともに、ベーパータップ(２７)を介して噴射剤が流入し、噴出内容物を微粒子化する事が可能となる。このベーパータップ(２７)と調整導入孔(１５)からの流入量の合計が、オリフィス(８)からの噴射量よりも、少なくなるよう形成する。即ち、このオリフィス(８)からの噴射量よりも、上記流入量が多くなるような大きさで、ベーパータップ(２７)と調整導入孔(１５)を各々形成すると、流入側(１３)と流出側(１４)の圧力が平衡し、ピストン(１１)の流出側(１４)への移動が困難となる。そのため、オリフィス(８)からの噴射量よりも流出側(１４)へのエアゾール内容物の流入量が少なくなるような寸法の取り合いで、調整導入孔(１５)とベーパータップ(２７)を形成する必要がある。
【００４６】
また、上記の実施例では、ベーパータップ(２７)をハウジング(２)の流出側(１４)の側面に設けているが、異なる実施例では、ベーパータップ(２７)をハウジング(２)の流入側(１３)に設けても良い。この場合は、ベーパータップ(２７)を介して流入側(１３)に噴射剤が流入し、ピストン(１１)を流出側(１４)へ押圧する圧力を高めている。そのため、エアゾール内容物の噴射時に、流出側(１４)と流入側(１３)との圧力が平衡となる事がない。
【００４７】
また、上記の各実施例では、内容物と噴射剤とをエアゾール容器内に混在させているが、図７に示す第６実施例では、本発明の流量調整装置を備えたバルブ機構(１)を、外容器(２５)と内袋(２６)から成る二重エアゾール容器に用いている。この外容器(２５)には、噴射剤を充填するとともに、内袋(２６)内に内容物を充填する事により、内容物と噴射剤とを分離している。すると、内容物の噴射初期に於いては、外容器(２５)の噴射剤の圧力が高く、内袋(２６)に強い圧力が加わる。この圧力により、内容物がハウジング(２)内に多く流入してピストン(１１)を流出側(１４)に強く押圧し、挿入間隔(２０)に調整挿入部(１６)を深く挿入する。そして、内袋(２６)の内容物の減少に伴って、外容器(２５)内のヘッドスペースが大きくなり、外容器(２５)内の圧力が低下するため、内袋(２６)への加圧力が弱まるので、内容物によるピストン(１１)の押圧力が減少し、挿入間隔(２０)への調整挿入部(１６)の挿入量が少なくなり、噴射の初期と終期とで、前述した作用により内容物の流量が一定に保たれる。
【００４８】
上述の如き各実施例に於いても、エアゾール内容物の圧力に比例して、ピストン(１１)の挿入量を調整し、噴射の初期から終期まで、常にエアゾール内容物の単位時間当たりの噴射量を一定に保つ事が可能となり、効果的な流量調整機構を実現する事ができる。
【００４９】
また、上述の如き流量調整装置を備えたエアゾール容器に、頭髪用品、化粧品、消臭・制汗剤、その他人体用品、殺虫剤、家庭用品、を充填した場合の、各々のエアゾール内容物の処方例を以下に示す。
【００５０】
頭髪用品として、ヘアスプレー、ヘアトリートメント、トニック、育毛剤の処方例を以下に示す。
【００５１】
ヘアスプレー
アクリル樹脂アルカノールアミン液（３０％）          ４．００ｗｔ％
ポリオキシエチレンオレイルエーテル                  ０．０１ｗｔ％
トリエタノールアミン                                ０．５０ｗｔ％
香料                                                ０．１７ｗｔ％
９９％変性アルコール                              ９２．３２ｗｔ％
炭酸ガス                                            ３．００ｗｔ％
合    計                                      １００．００ｗｔ％
【００５２】
ヘアトリートメント
流動パラフィン                                      １．５０ｗｔ％
プロピレングリコール                                ０．２０ｗｔ％
メチルフェニールポリシロキサン                      ０．１０ｗｔ％
香料                                                ０．２０ｗｔ％
９９％変性アルコール                              ９５．００ｗｔ％
炭酸ガス                                            ３．００ｗｔ％
合    計                                      １００．００ｗｔ％
【００５３】
ヘアトニック
酢酸トコフェノール                                  ０．０５ｗｔ％
ポリオキシエチレン硬化ひまし油                      ０．３０ｗｔ％
Ｌ−メントール                                      ０．２８ｗｔ％
ｄｌ−カンフル                                      ０．０５ｗｔ％
トウガラシチンキ                                    ０．０５ｗｔ％
乳酸                                                ０．０２ｗｔ％
香料                                                ０．２０ｗｔ％
９５％変性エタノール                              ５７．００ｗｔ％
イオン交換水                                      ４１．６５ｗｔ％
窒素                                                ０．４０ｗｔ％
合    計                                      １００．００ｗｔ％
【００５４】
育毛剤
サルチル酸                                          ０．３０ｗｔ％
酢酸トコフェノール                                  ０．０５ｗｔ％
センブリエキス                                      ０．２０ｗｔ％
Ｌ−メントール                                      ０．０５ｗｔ％
濃グリセリン                                        １．００ｗｔ％
９５％変性エタノール                              ６０．００ｗｔ％
イオン交換水                                      ３８．００ｗｔ％
窒素                                                ０．４０ｗｔ％
合    計                                      １００．００ｗｔ％
【００５５】
化粧品として、オーデコロン、日焼け止め、シェービングクリームの処方例を以下に示す。
【００５６】
オーデコロン
ジメチルポリシロキサン                              ０．７０ｗｔ％
トリイソステアリン酸ＰＯＥグリセリン                １．００ｗｔ％
香料                                                ２．００ｗｔ％
ポリオキシエチレン硬化ヒマシ油（Ｅ．Ｏ  ６０）      １．００ｗｔ％
イオン交換水                                      ３５．００ｗｔ％
９９％変性アルコール                              ５９．８０ｗｔ％
窒素                                                ０．５０ｗｔ％
合    計                                      １００．００ｗｔ％
【００５７】
日焼け止め
セチルオクタネート                                ３０．００ｗｔ％
ペンゾフェノン−３                                  ３．００ｗｔ％
酢酸トコフェノール                                  ０．１０ｗｔ％
オクチルメトキシシナネート                          ６．００ｗｔ％
ミネラルオイル                                    ５７．９０ｗｔ％
炭酸ガス                                            ３．００ｗｔ％
合    計                                      １００．００ｗｔ％
【００５８】
シェービングクリーム（後発泡シェブジエル）
バルミチン酸                                      １０．００ｗｔ％
ジブチルヒドロキシトルエン                          ０．１０ｗｔ％
オレイルアルコール                                  １．００ｗｔ％
グリセリン                                          ５．００ｗｔ％
ソルビット液(７０％)                                ５．００ｗｔ％
ヒドロキシエチルセルロース                          ０．５０ｗｔ％
トリエタノールアミン                                ６．５０ｗｔ％
防腐剤                                              ０．２０ｗｔ％
色素                                                適量
イソペンタン／イソプタン  ９５／５                  ３．５０ｗｔ％
イオン交換水                                      ６７．７０ｗｔ％
ヒドロキシエチルセルロース                          ０．５０ｗｔ％
合    計                                      １００．００ｗｔ％
但し、上記シェービングクリームは、先述の第６実施例で示した二重エアゾール容器に於いて、内袋に充填する内容物の処方例である。そして、外容器には、噴射剤として、窒素を充填している。
【００５９】
消臭・制汗剤として、制汗消臭剤の処方例を以下に示す。
【００６０】
制汗消臭剤
トリクロンサン                                      ０．２０ｗｔ％
オクチルドデカノール                                １．００ｗｔ％
フェノールスルフォン酸亜鉛                          １．００ｗｔ％
香料                                                ０．２０ｗｔ％
９９％変性アルコール                              ９４．６０ｗｔ％
炭酸ガス                                            ３．００ｗｔ％
合    計                                      １００．００ｗｔ％
【００６１】
その他人体用品として、筋肉消炎剤、害虫忌避剤の処方例を以下に示す。
【００６２】
筋肉消炎剤
Ｌ−メントール                                      ３．００ｗｔ％
サルチル酸メチル                                    ２．７０ｗｔ％
酢酸トコフェノール                                  ０．２０ｗｔ％
９９％変性アルコール                              ９１．１０ｗｔ％
炭酸ガス                                            ３．００ｗｔ％
合    計                                      １００．００ｗｔ％
【００６３】
害虫忌避剤
ＤＥＥＴ                                            ４．００ｗｔ％
レッパー３３３                                      １．００ｗｔ％
N-(2-エチルヘキシル)-ビシクロ2.2.1-ヘプタ-5エン2.3-ジガルボキシイミド  ２．００ｗｔ％
ＰＥＧ＃４００                                      １．５０ｗｔ％
９９％変性アルコール                              ８８．５０ｗｔ％
炭酸ガス                                            ３．００ｗｔ％
合    計                                      １００．００ｗｔ％
【００６４】
殺虫剤として、ゴキブリ用殺虫剤、園芸用殺虫剤の処方例を以下に示す。
【００６５】
ゴキブリ用殺虫剤
スミチオン                                          １．２５ｗｔ％
ピペロニウムブトキサイド                            １．９５ｗｔ％
香料                                                ０．０１ｗｔ％
ケロシン                                          ９３．７９ｗｔ％
炭酸ガス                                            ３．００ｗｔ％
合    計                                      １００．００ｗｔ％
【００６６】
園芸用殺虫剤
フタルスリン                                        ０．２０ｗｔ％
ポリオキシアルキルリン酸エステル                    ０．２０ｗｔ％
イソプロピルアルコール                              ４．００ｗｔ％
イオン交換水                                      ９５．３０ｗｔ％
窒素                                                ０．３０ｗｔ％
合    計                                      １００．００ｗｔ％
【００６７】
家庭用品として、ごみ用消臭剤、防水スプレーの処方例を以下に示す。
【００６８】
ごみ用消臭剤
ラウリルメタアクリレート                            ２．００ｗｔ％
イソプロピルメチルフェノール                        ０．２０ｗｔ％
ヒノキチオール                                      ０．０１ｗｔ％
ジプロピレングリコール                              ０．９０ｗｔ％
香料                                                １．００ｗｔ％
９９％変性アルコール                              ９２．８９ｗｔ％
炭酸ガス                                            ３．００ｗｔ％
合    計                                      １００．００ｗｔ％
【００６９】
防水スプレー
フッ素樹脂                                          １．２０ｗｔ％
メチルポリシロキサン                                ２．５０ｗｔ％
へキシジングリコール                                ５．００ｗｔ％
９９％変性アルコール                              ８８．３０ｗｔ％
炭酸ガス                                            ３．００ｗｔ％
合    計                                      １００．００ｗｔ％
【００７０】
【発明の効果】
本発明は、上述の如く構成したものであるから、噴射の初期から終期まで、常にエアゾール内容物の単位時間当たりの噴射量を同一に保つ事ができるものとなる。また、この噴射量の調整に於て、ピストンに脈動を生じたりする事がなく、安定した流量の調整が可能となるものである。また、内周流通路と外周流通路は、調整挿入部の外周側と内周側に折り返した形状で互いに連通して形成しているので、ピストンやシリンダー、挿入杆等の容積を小さく形成しても、内周流通路と外周流通路とで、長い通路を形成する事ができる。そのため、この流量調整装置を設けたバルブ機構が嵩張らず、エアゾール容器の構造を簡易なものとする事ができる。
【００７１】
また、調整挿入部は、ステム本体のシリンダーの内周と挿入杆の内周との間隔に設けた挿入間隔を進退するものであるから、安定した摺動をする事が可能となる。そのため、調整挿入部の摺動に脈動等を生じる事がなく、常に単位時間当たりの流量を、安定して一定に保つ事が可能となるものである。
【００７２】
また、内周流通路は、挿入杆を調整挿入部内に密接して挿入するとともに、挿入杆の外面軸方向及び／または調整挿入部の内面軸方向に、凹溝を設ける事により形成したから、この凹溝によりエアゾール内容物の内周流通路の表面積が狭くなり、エアゾール容器の使用開始時の流通抑制に大きな効果を生じさせる事ができる。また、外周流通路も、調整挿入部をシリンダー内に密接して挿入するとともに、調整挿入部の外面軸方向及び／またはシリンダーの内面軸方向に、凹溝を設ける事により形成したから、外周流通路に於いても、上記の凹溝状の内周流通路と同様の技術効果を得る事ができる。
【００７３】
また、この流量の調整装置を、バルブ機構に設けたので、エアゾール容器の構造が簡易で、部品点数や工作の手間を省き、廉価に形成する事ができる。
【図面の簡単な説明】
【図１】  本発明の流量調整装置を設けた小型エアゾール容器のバルブ機構の断面図。
【図２】  エアゾール内容物の噴射のため、ステム本体を押し下げた状態の断面図。
【図３】  噴射剤圧力が高圧で調整挿入部が、挿入間隔内に深く挿入された状態を示す断面図。
【図４】  エアゾール内容物の噴射が継続し、エアゾール容器の内部が低圧となった状態を示す断面図。
【図５】  図３のＡ−Ａ線断面図。
【図６】  流量調整機構を設けたバルブ機構に於いて、ハウジングの流出側の側面にベーパータップを設けた実施例の断面図。
【図７】  流量調整機構を、二重エアゾール容器のバルブ機構に設けた実施例の断面図。
【符号の説明】
１    バルブ機構
２    ハウジング
３    ステム本体
４    装着部
７    流通路
８    オリフィス
１０    流入口
１１    ピストン
１２    押圧発条
１３    流入側
１４    流出側
１５    調整導入孔
１６    調整挿入部
１７    シリンダー
１８    挿入杆
２０    挿入間隔
２１    内周流通路
２２    外周流通路
２３    外周鍔部
２４    流通孔
【図１】
0003865485.tif 000002
【図２】
0003865485.tif 000003
【図３】
0003865485.tif 000004
【図４】
0003865485.tif 000005
【図５】
0003865485.tif 000006
【図６】
0003865485.tif 000007
【図７】
0003865485.tif 000008